(57)【要約】      （修正有）【課題】製作期間が短縮化され、治療等による頭部の脱毛に対する患者のＱＯＬを向上するための医療用オーダーメイドウィッグの製作方法を提供する。【解決手段】複数の異なるサイズのウィッグベースに所定の色の人毛や人工毛を結着して、ヘアスタイルはロングヘア、かつ、毛髪の量は、小児用ウィッグよりも２０％乃至３０％多い量の複数の異なるサイズのウィッグを製作して予め用意する工程と、小児患者の頭部を採寸し、採寸結果に基づいて、予め用意された複数の異なるサイズから一のウィッグを選択し、頭部に装着する工程と、頭部に装着された状態でウィッグをカットして、利用者の所望の毛髪の長さ寸法、かつ、治療等による頭部の脱毛前よりもボリューム感のあるヘアスタイルで完成状態とする工程とを有する医療用オーダーメイドウィッグの製作方法を提供する。【選択図】図１
2016166438.tif 000002
【特許請求の範囲】
【請求項１】
複数の異なるサイズのウィッグベースに所定の色の人毛や人工毛を結着して、ヘアスタイルはロングヘア、かつ、毛髪の量は、成人用ウィッグに対して前記毛髪の量が２０％乃至３０％少ない量である小児用ウィッグよりも２０％乃至３０％多い量の複数の異なるサイズのウィッグを製作して予め用意する工程と、
小児患者であるウィッグ利用者の頭部を採寸し、採寸結果に基づいて、前記予め用意された複数の異なるサイズの前記ウィッグから一の前記ウィッグを選択し、
理・美容師が医療機関へ訪問し、又は、前記ウィッグ利用者が理・美容室へ来店して前記選択された一の前記ウィッグを前記ウィッグ利用者の頭部に装着する工程と、
前記ウィッグ利用者の頭部に装着された状態で前記選択された一の前記ウィッグをカットして、前記ウィッグ利用者の所望の毛髪の長さ寸法、かつ、治療等による頭部の脱毛前よりもボリューム感のあるヘアスタイルで完成状態とする工程と
を有する医療用オーダーメイドウィッグの製作方法。
【発明の詳細な説明】
【技術分野】
【０００１】
本発明は、治療等による頭部の脱毛に対する小児患者のＱＯＬを向上させる医療用オーダーメイドウィッグを製作する方法に関する。
【背景技術】
【０００２】
医療用ウィッグとは、一般のウィッグ（かつら）と異なり、疾病の治療に際して用いられる専用のウィッグのことであり、治療中及びその前後の患者の状態に応じた機能や品質が求められるものである。
ここで、ウィッグには、フルウィッグと部分ウィッグがあることが知られているが、以下では、全頭用のフルウィッグを前提とする。
【０００３】
医療用ウィッグは、例えば、悪性腫瘍に対する化学療法（抗がん剤治療）や放射線療法等の実施による頭部の脱毛対策として、治療期間中はもちろん、治療を終えた後に髪が元の長さに戻るまでの期間において用いられている。
一般的には、治療開始後、数週間で頭部の脱毛が開始し、治療終了後、数ヶ月で発毛・再生が開始し、３ヶ月〜１２ヶ月程度で自毛が回復することが多い。
【０００４】
小児患者に対する化学療法や放射線療法等であっても、成人と同様に頭部の脱毛は生じる。
悪性腫瘍の治療は非常に過酷かつ長期にわたることが多く、また現代社会を生きる人間にとって、美容・お洒落への欲求は生きていく上で必要不可欠な要素となっている。
そのため、特に思春期及びその前後の、自身の美容・お洒落に興味を持ち始める小児（女児・男児ともに含む。）にとって、美容・お洒落の表現に重要な役割を担う毛髪を失うということは、自身の美容・お洒落を諦めて生きることとなり、毛髪が抜けてしまうことは患者のＱＯＬの著しい低下に直結している。
【０００５】
毛髪の代替として、気に入った医療用ウィッグを気軽に利用することが可能であれば、小児患者のＱＯＬの向上に資するが、医療用ウィッグの販売社数は少なく、高価で種類も限られている。医療用ウィッグの開発チームに医師及び理・美容師が参加することがなかったため、小児患者の要望を十分に満足させる医療用ウィッグが少なく、医療用ウィッグの選択肢としてカタログに掲載された定型のヘアスタイルの既製品のみという医療機関も多い。そして、重さ、ムレや締め付け具合の着け心地が少しでも悪いとさらに医療用ウィッグの装着は小児患者に敬遠され、帽子を被って済ませてしまうケースもある。
【０００６】
また、医療用ウィッグは見た目の印象と、頭部に装着した場合の印象が異なる製品であり、希望する条件に合った医療用ウィッグがどのようなものか実際に確かめる(試着・色合わせ)ことなく購入すると、意図していた医療用ウィッグと相違する場合がある。そのため、違和感のないヘアスタイルや好みの毛量に仕上げることができるオーダーメイドウィッグが知られている。
【０００７】
従来のオーダーメイドウィッグの製造方法には、一般に、採寸・製造指示、製作（製造）、仕上、納品の各工程が存在する。そして、採寸・製造指示の工程では、ウィッグ利用者は専門店や取扱いサロンに出向き、専門技術を有する理・美容師又は専門のカウンセラーにより頭の各箇所のサイズ等が測定され、ウィッグの製作に必要な製造指示がなされる。そして、製造工場等で当該製造指示に従ってウィッグベースが１０割、ヘアスタイルが８割程度完成の状態まで製作される。最後に、ウィッグ利用者は専門店や理・美容室に出向き、ウィッグを実際の頭部に載せてウィッグの一部がカットされて残り２割が整えられて１０割まで仕上げたり、又はウィッグを専用の作業台（マネキン）に載せて希望を聞きながら調整が行われて、完成後に納品となる。なお、理・美容師がカットするのは残り２割のためカット時間は３０分以内が通常である。
【０００８】
医療用オーダーメイドウィッグの製作は、患者の治療方針が決定すると、治療前と同じヘアスタイルの医療用ウィッグを希望する場合は、自身のヘアスタイルと医療用オーダーメイドウィッグを見比べながら試着・調整できる脱毛前の治療を始まる前のタイミングで準備を開始する。また、脱毛後の場合には、今までのヘアスタイルがわかる写真等で希望のヘアスタイルの確認を行う場合もある。
また、医療用オーダーメイドウィッグを製作する場合、通常、患者が専門店や理・美容室に来店したり、入院中などの場合には理・美容師が医療機関の許可を得たうえで医療機関へ訪問することが必要となる。
【０００９】
ここで、関連技術として、頭皮に隣接して配置された内部表面と、複数本の髪の毛が接着された外部表面とを備えた帽子を有し、少なくとも該帽子の一部が緯糸および経糸から成る第１表面と、合成フィラメント状の材料から形成されたループを含んだ凸状のパイルから成る第２表面とを有する布から構成されており、利用者がかつら（医療用ウィッグ）を被った時に、合成フィラメント状の材料から形成されたループを含んだ凸状のパイルから成る第２表面が頭皮に隣接されるように該布が帽子の内部表面に接着され、ウィッグ利用者により快適な装着感を与える医療用ウィッグを提供する技術が提案されている（特許文献１参照）。
【先行技術文献】
【特許文献】
【００１０】
【特許文献１】特開平８−６０４２１号公報
【発明の概要】
【発明が解決しようとする課題】
【００１１】
上記の特許文献１に開示されている技術は、医療用ウィッグの利用者の頭皮に快適な装着感を与える医療用ウィッグを実現するに過ぎず、治療等による頭部の脱毛に対する小児患者のＱＯＬを向上するために小児の特性・感性に応じた医療用オーダーメイドウィッグの製作方法を開示するものではない。
また、上記の特許文献１に開示されている技術は、前述した従来のオーダーメイドウィッグの製造方法によると、注文から仕上までの製作日数が約３５日乃至６０日かかるためウィッグ利用者の希望が変わってしまったり、８割程度の完成状態まで製作されているため希望のヘアスタイルと相違しても調整不可能だったり、さらに製作日数がかかり過ぎることにより小児患者が体調を崩してしまい装着できなくなってしまう、という問題点を解消するものでもない。
本発明は、医療機関の協力による臨床の現場において、理・美容サロンならではの専門技術力を結集し、試行錯誤により到達できた高い水準にあり、製作方法としての現実性・完成度を誇るものである。
【００１２】
本発明の目的は、製作期間が短縮化され、治療等による頭部の脱毛に対する小児患者のＱＯＬを向上するための医療用オーダーメイドウィッグの製作方法を提供することにある。
【課題を解決するための手段】
【００１３】
本発明の医療用オーダーメイドウィッグの製作方法は、複数の異なるサイズのウィッグベースに所定の色の人毛や人工毛を結着して、ヘアスタイルはロングヘア、かつ、毛髪の量は、成人用ウィッグに対して前記毛髪の量が２０％乃至３０％少ない量である小児用ウィッグよりも２０％乃至３０％多い量の複数の異なるサイズのウィッグを製作して予め用意する工程と、
小児患者であるウィッグ利用者の頭部を採寸し、採寸結果に基づいて、前記予め用意された複数の異なるサイズの前記ウィッグから一の前記ウィッグを選択し、
理・美容師が医療機関へ訪問し、又は、前記ウィッグ利用者が理・美容室へ来店して前記選択された一の前記ウィッグを前記ウィッグ利用者の頭部に装着する工程と、
前記ウィッグ利用者の頭部に装着された状態で前記選択された一の前記ウィッグをカットして、前記ウィッグ利用者の所望の毛髪の長さ寸法、かつ、治療等による頭部の脱毛前よりもボリューム感のあるヘアスタイルで完成状態とする工程と
を有する。
【発明の効果】
【００１４】
本発明によれば、製作期間が短縮化され、治療等による頭部の脱毛に対する小児患者のＱＯＬを向上するための医療用オーダーメイドウィッグの製作方法を提供することができる。
【図面の簡単な説明】
【００１５】
【図１】本発明の実施の形態における医療用オーダーメイドウィッグの製作方法の流れを示すフローチャートである。
【図２】本発明の実施の形態における医療用オーダーメイドウィッグの製作方法を説明する図である。
【発明を実施するための形態】
【００１６】
以下、本発明の実施の形態を図面を参照しつつ説明する。
【００１７】
図１のフローチャートを参照して、本実施形態における医療用オーダーメイドウィッグの製作方法の流れを説明する。ここでは、患者は小児とし、悪性腫瘍に対する化学療法（抗がん剤治療）や放射線療法等の実施による頭部の脱毛対策として、髪が元の長さに戻るまでの期間において使用する医療用オーダーメイドウィッグを前提とする。
医療用オーダーメイドウィッグは、全頭用のフルウィッグであり、利用者である小児患者の頭部に装着されるウィッグベースと、当該ウィッグベースに結着（毛植え）される人毛や人工毛の毛髪群とを備えている。
【００１８】
まず、ヘアスタイルはロングヘア（毛髪の長さ寸法が、例えば３５ｃｍ以上のヘアスタイル。）、かつ、毛髪の量は、成人用ウィッグに対して毛髪の量が２０％乃至３０％少ない量である小児（子供）用ウィッグよりも２０％乃至３０％多い量とし、かつ、小児の成長段階に応じて小さなサイズから高校生向けの大人サイズまで装着時に違和感を生じないようにウィッグベースが１５種類のサイズに分類され、かつ、毛髪の色がナチュラルな黒やその他のカラーの４種類に分類された医療用オーダーメイドウィッグの製造指示書を作成する（ステップＳ１）。すなわち、製造指示書は、１５種類のサイズ×４種類の毛髪の色の合計６０パターンが作成される。
医療用オーダーメイドウィッグの完成状態では、女児では肩にかかる程度の長さのヘアスタイルが多いため、また男児ではそれよりもさらに短髪のヘアスタイルが多いため、毛髪をカットして短くする分の余裕を確保するためロングヘアとしている。なお、ロングヘアにはナチュラルな感じの軽いカールを施しておくことであってもよい。
また、本実施形態における医療用オーダーメイドウィッグの完成状態では、治療等による頭部の脱毛前よりもボリューム感のあるヘアスタイルとするため、カット時に梳いて毛髪の量を少なくする分の余裕を確保するため、毛髪の量は、通常の小児用ウィッグよりも２０％乃至３０％多い量としている。なお、通常の小児用ウィッグの毛髪の量は、平均的な小児の毛髪（自毛）の量の１００％乃至９０％の量に相当させるべく、小児の毛髪の太さは成人に比較して細いこと等を考慮して、成人用ウィッグに対して２０％乃至３０％程度少ない量として作成されている。
また、これまではＳ、Ｍ、Ｌサイズなどしかなかったサイズを１５種類とし、１５種類のサイズ×４種類の毛髪の色の合計６０パターンを用意しておくことでほとんどの小児患者にマッチする装着感の向上したウィッグを準備することができる。
【００１９】
次に、予め、製造工場で、上記の製造指示書等に従って、公知の種々のウィッグ製造技術を用いて、ウィッグベースは１５種類のサイズに限定されてはいるもののいわば１０割、ヘアスタイルは３割程度の完成状態まで仕上げられた医療用オーダーメイドウィッグ（以下、「３割仕上げ医療用ウィッグ」という。）を６０パターン製作して用意する（ステップＳ２）。例えば、ネットや人工皮膚等からなる脱毛し敏感になった肌にも違和感を生じさせない素材が用いられたウィッグベースに人毛や人工毛を結着や接着などして３割仕上げ医療用ウィッグを製造する。
予め製作された６０パターンの３割仕上げ医療用ウィッグは、ヘアスタイルはロングヘア、かつ、毛髪の量は、成人用ウィッグに対して２０％乃至３０％少ない量である小児用ウィッグよりも２０％乃至３０％多い量である（図２（ａ）も参照）。
このように、予め３割仕上げ医療用ウィッグを６０パターン用意しておくことで、納期の短縮化が図られ、例えば、投薬の影響などで脱毛が開始し、急を要する場合等であっても最短で１０日間程度の短い納期で納品することが可能となる。
【００２０】
次に、専門カウンセラーや理・美容師等が専用のサイズキャップ等を利用して患者の頭部を採寸する（ステップＳ３）。本ステップは、専門カウンセラーや理・美容師が医療機関へ訪問し、又は小児患者（ウィッグ利用者）が専門店や取扱いサロンへ来店して実施される。小児患者は外出したくない気分でいるケースも多く、医療機関の許可を得た上で医療機関へ訪問することが可能であることが好ましい。
また、専門カウンセラーや理・美容師等が、毛髪の色についても４種類のうちから小児患者の好みの色（カラー）を確認する。
なお、治療前の脱毛が開始する前のタイミングである場合は、例えば、小児患者の前頭部、頭頂部、左右側頭部および後頭部の毛髪の長さ寸法、毛髪の量、毛髪の色、毛髪の艶、毛髪の太さ、毛髪のカール性およびヘアスタイル（ボリューム感を含む。）などを採寸、測定または観察する。
【００２１】
次に、製造工場側、又は専門カウンセラーや理・美容師等が、小児患者の頭部の採寸結果・好みの毛髪の色に基づいて、予め用意された６０パターンの３割仕上げ医療用ウィッグから適合するサイズ・毛髪の色の３割仕上げ医療用ウィッグを一つ選択する（ステップＳ４）。
【００２２】
次に、患者が、選択された３割仕上げ医療用ウィッグを実際に頭部に直接装着しながら、専門技術を有する理・美容師により、３割仕上げ医療用ウィッグの一部分がカット・カール等され、必要に応じて毛髪が梳かれて整えられ、患者の所望の毛髪の長さ寸法、かつ、治療等による頭部の脱毛前よりもボリューム感のあるヘアスタイル（好適には１０％乃至２５％のボリューム感アップ）としてヘアスタイルも１０割まで仕上げられて医療用オーダーメイドウィッグは完成状態となる（ステップＳ５）。この際、小児患者に本来の地毛の状態を感じさせるように実際に直接頭部に装着してロングヘアの状態からヘアスタイルの希望を聞きながらカットしていく。また、理・美容室での通常のカットと同じ１時間乃至２時間の時間をかけて丁寧に仕上げを行うため患者のＱＯＬが向上している。
ヘアスタイル（ボリューム感を含む。）は、治療前の脱毛が開始する前に採寸、測定または観察された上記の毛髪の長さ寸法などの各種情報も参照しながら、又は、今まで（脱毛前）のヘアスタイル（ボリューム感を含む。）がわかる過去の複数の写真や写真データなども参照しながら仕上げられる。
本ステップも、理・美容師が医療機関へ訪問し、又は患者（ウィッグ利用者）が専門店や理・美容室へ来店して実施される。患者は外出したくない気分でいるケースも多く、医療機関の許可を得た上で医療機関へ訪問することが可能であることが好ましい。
理・美容師は、通常の理・美容室での小児を相手にしてカットしている経験値や専門技術力・ノウハウを生かして、また最先端の流行のカット・ヘアスタイルを取り入れながら微調整を実施して医療用オーダーメイドウィッグ１０を１０割の完成型に仕上げる（図２（ｂ）も参照）。
女児は肩にかかる程度の長さのヘアスタイルが完成状態となることが多く、男児はそれよりも短髪のヘアスタイルが完成状態となることが多いが、どのようなヘアスタイルであっても装着感や見た目が良くて完成度の高いオーダーメイドウィッグが製作される。
治療等による頭部の脱毛前よりもボリューム感のあるヘアスタイル（好適には１０％乃至２５％のボリューム感アップ）とするのは、ボリューム感をアップしないで治療等による頭部の脱毛前と同等のボリューム感とした場合、客観的には同等のボリューム感であるにもかかわらず、小児患者はヘアスタイルのボリューム感が足りないと主観的に思うことが多いためである。これは小児には髪が無くなる状態を成人より事前に理解・納得することが困難であり精神的な面からの感性の変化も一因と考えられる。
成人は髪をカットしてもらうことに慣れてしまっておりカット自体に感動はないが、小児には長い髪をカットしてもらうこと自体が特別なイベントでもあり、大人になったような嬉しい気分となり、気持ちが高揚して楽しくなり、そのような面からもＱＯＬの向上が図られることとなる。
なお、小児患者が男児の場合は、短髪のヘアスタイルが完成状態となることが多いため、３割仕上げ医療用ウィッグのロングヘアを予め半分程度の長さまでカットしておき、実際に直接頭部に装着しさらにカットすることであってもよい。
【００２３】
本実施形態における医療用オーダーメイドウィッグの製作方法によりオーダーメイドで製作した、医療用オーダーメイドウィッグ１０を利用した患者に対して以下のアンケートを実施した。
【００２４】
アンケート対象者は、化学療法が終了し、脱毛が認められる外来、又は入院の小児がんの複数の小児患者である。全員が既に既製品の医療用ウィッグを所有していた。
【００２５】
医療用オーダーメイドウィッグの着用開始後から、自毛が再生して医療用オーダーメイドウィッグが不要となるまでの期間（平均約１７月）において、以下の項目について所有している既製品の医療用ウィッグと比較した満足度を５点満点形式により回答を求めた。
（１）着け心地
（２）ムレにくさ
（３）ヘアスタイル
（４）手入れのし易さ
（５）外出時の気分の良さ
（６）登校の願望
【００２６】
また、医療用ウィッグを着用して外出する時間の比較、ヘアカットの体験に対する満足度調査も実施した。
【００２７】
アンケート結果は、既製品の医療用ウィッグと比較して本実施形態における医療用オーダーメイドウィッグは、全項目において満足度が高く、小児患者のＱＯＬを向上することが明らかとなった。医療用ウィッグを着用して外出する時間も増加し、ヘアカットの体験は全員が５点満点であった。また、登校への抵抗感の減少につながることもわかった。
【００２８】
本実施形態における医療用オーダーメイドウィッグの製作方法によれば、各人のサイズ・好みの色やヘアスタイルにマッチした、真に小児患者の美容・お洒落への欲求を満足させることができる医療用オーダーメイドウィッグを実現することで、治療へのモチベーションを向上させることもできる。すなわち悪性腫瘍の治療は非常に過酷かつ長期にわたることが多く、また、現代社会を生きる人間にとって、美容・お洒落への欲求は生きていく上で必要不可欠な要素となっている。特に思春期及びその前後の、自身の美容・お洒落に興味を持ち始める小児患者にとって、美容・お洒落の表現に重要な役割を担う毛髪を失うということは、自身の美容・お洒落を諦めて生きることとなり、治療を継続することへのモチベーションの低下に直結する。小児は大人と異なり、様々な事象に直面してきた経験に乏しく、精神的な負担が大きくなるケースもある。このような状況を解決し治療へのモチベーションを高めることが可能となっている。
【００２９】
その他、一々例示はしないが、本発明は、その趣旨を逸脱しない範囲内において、種々の変更が加えられて実施されてよい。例えば、サイズや色の数、ロングヘアの長さ、仕上げの割合などは適宜増減されてよい。
【符号の説明】
【００３０】
１０    医療用オーダーメイドウィッグ
【図１】
2016166438.tif 000003
【図２】
2016166438.tif 000004
【手続補正書】
【提出日】平成27年9月18日(2015.9.18)
【手続補正１】
【補正対象書類名】明細書
【補正対象項目名】００１３
【補正方法】変更
【補正の内容】
【００１３】
本発明の医療用オーダーメイドウィッグの製作方法は、複数の異なるサイズのウィッグベースに所定の色の人毛や人工毛を結着して、ヘアスタイルはロングヘア、かつ、毛髪の量は、成人用ウィッグに対して前記毛髪の量が２０％乃至３０％少ない量である小児用ウィッグよりも２０％乃至３０％多い量の複数の異なるサイズの医療用の小児用ウィッグを製作して予め用意する工程と、
小児患者であるウィッグ利用者の頭部を採寸し、採寸結果に基づいて、前記予め用意された複数の異なるサイズの前記小児用ウィッグから一の前記小児用ウィッグを選択し、
理・美容師が医療機関へ訪問し、又は、治療等による頭部の脱毛がある前記ウィッグ利用者が理・美容室へ来店して前記選択された一の前記小児用ウィッグを前記治療等による頭部の脱毛がある前記ウィッグ利用者の頭部に装着する工程と、
前記治療等による頭部の脱毛がある前記ウィッグ利用者の頭部に装着された状態で前記選択された一の前記小児用ウィッグをカットして、前記治療等による頭部の脱毛がある前記ウィッグ利用者の所望の毛髪の長さ寸法であるヘアスタイル、かつ、前記毛髪の量が前記２０％乃至３０％多い量であることに基づいて前記治療等による頭部の脱毛前よりもボリューム感のあるヘアスタイルとして完成状態とする工程と
を有する。
【手続補正２】
【補正対象書類名】特許請求の範囲
【補正対象項目名】全文
【補正方法】変更
【補正の内容】
【特許請求の範囲】
【請求項１】
複数の異なるサイズのウィッグベースに所定の色の人毛や人工毛を結着して、ヘアスタイルはロングヘア、かつ、毛髪の量は、成人用ウィッグに対して前記毛髪の量が２０％乃至３０％少ない量である小児用ウィッグよりも２０％乃至３０％多い量の複数の異なるサイズの医療用の小児用ウィッグを製作して予め用意する工程と、
小児患者であるウィッグ利用者の頭部を採寸し、採寸結果に基づいて、前記予め用意された複数の異なるサイズの前記小児用ウィッグから一の前記小児用ウィッグを選択し、
理・美容師が医療機関へ訪問し、又は、治療等による頭部の脱毛がある前記ウィッグ利用者が理・美容室へ来店して前記選択された一の前記小児用ウィッグを前記治療等による頭部の脱毛がある前記ウィッグ利用者の頭部に装着する工程と、
前記治療等による頭部の脱毛がある前記ウィッグ利用者の頭部に装着された状態で前記選択された一の前記小児用ウィッグをカットして、前記治療等による頭部の脱毛がある前記ウィッグ利用者の所望の毛髪の長さ寸法であるヘアスタイル、かつ、前記毛髪の量が前記２０％乃至３０％多い量であることに基づいて前記治療等による頭部の脱毛前よりもボリューム感のあるヘアスタイルとして完成状態とする工程と
を有する医療用オーダーメイドウィッグの製作方法。
【手続補正書】
【提出日】平成28年2月14日(2016.2.14)
【手続補正１】
【補正対象書類名】明細書
【補正対象項目名】００１３
【補正方法】変更
【補正の内容】
【００１３】
本発明のボリューム感のある医療用オーダーメイドウィッグの製作方法は、ウィッグベースに所定の色の人毛や人工毛を結着して、ヘアスタイルはロングヘア、かつ、毛髪の量は、成人用ウィッグに対して前記毛髪の量が２０％乃至３０％少ない量である小児用ウィッグよりも２０％乃至３０％多い量の所定のサイズの医療用の小児用ウィッグを製作して予め用意する工程と、
理・美容師が医療機関へ訪問し、又は、治療等による頭部の脱毛がある前記ウィッグ利用者が理・美容室へ来店して前記用意された小児用ウィッグを前記治療等による頭部の脱毛がある前記ウィッグ利用者の頭部に装着する工程と、
前記治療等による頭部の脱毛がある前記ウィッグ利用者の頭部に装着された状態で前記選択された一の前記小児用ウィッグをカットして、前記治療等による頭部の脱毛がある前記ウィッグ利用者の所望の毛髪の長さ寸法であるヘアスタイルで完成状態とする工程と
を有する。
【手続補正２】
【補正対象書類名】特許請求の範囲
【補正対象項目名】全文
【補正方法】変更
【補正の内容】
【特許請求の範囲】
【請求項１】
ウィッグベースに所定の色の人毛や人工毛を結着して、ヘアスタイルはロングヘア、かつ、毛髪の量は、成人用ウィッグに対して前記毛髪の量が２０％乃至３０％少ない量である小児用ウィッグよりも２０％乃至３０％多い量の所定のサイズの医療用の小児用ウィッグを製作して予め用意する工程と、
理・美容師が医療機関へ訪問し、又は、治療等による頭部の脱毛がある前記ウィッグ利用者が理・美容室へ来店して前記用意された小児用ウィッグを前記治療等による頭部の脱毛がある前記ウィッグ利用者の頭部に装着する工程と、
前記治療等による頭部の脱毛がある前記ウィッグ利用者の頭部に装着された状態で前記選択された一の前記小児用ウィッグをカットして、前記治療等による頭部の脱毛がある前記ウィッグ利用者の所望の毛髪の長さ寸法であるヘアスタイルで完成状態とする工程と
を有するボリューム感のある医療用オーダーメイドウィッグの製作方法。